(57)【要約】【課題】液晶装置等の電気光学装置において、反転駆動に起因する異音を好適に低減する。【解決手段】電気光学装置は、複数の画素が配列された表示領域（１０ａ）を有する電気光学装置であって、電気光学物質（５０）を挟持するように対向して配置される第１基板（１０）及び第２基板（２０）と、第１基板上に画素毎に設けられており、画像に応じた画素電位が供給される画素電極（９ａ）と、第２基板上に設けられており、画素電極との間に電圧を印加するための対向電位が供給される対向電極（２１）と、対向電位の極性を所定期間毎に反転させる極性反転手段（３４０）と、対向電極に対応して設けられた振動素子（２００）と、対向電位の極性と逆位相で振動素子を振動させる振動素子制御手段（２５０）とを備える。【選択図】図４
2011028023.tif 000002
【特許請求の範囲】
【請求項１】
複数の画素が配列された表示領域を有する電気光学装置であって、
電気光学物質を挟持するように対向して配置される第１基板及び第２基板と、
前記第１基板上に前記画素毎に設けられており、画像に応じた画素電位が供給される画素電極と、
前記第２基板上に設けられており、前記画素電極との間に電圧を印加するための対向電位が供給される対向電極と、
前記対向電位の極性を所定期間毎に反転させる極性反転手段と、
前記対向電極に対応して設けられた振動素子と、
前記対向電位の極性と逆位相で前記振動素子を振動させる振動素子制御手段と
を備えることを特徴とする電気光学装置。
【請求項２】
前記振動素子は、前記表示領域の周辺に位置する周辺領域に配置されていることを特徴とする請求項１に記載の電気光学装置。
【請求項３】
前記振動素子は、
前記第１基板上に設けられた第１電極及び前記第２基板上に設けられた第２電極を有しており、
前記第１電極及び前記第２電極に、互いに逆位相となるような電位が供給されることで振動する
ことを特徴とする請求項１又は２に記載の電気光学装置。
【請求項４】
前記振動素子は、圧電素子であることを特徴とする請求項１又は２に記載の電気光学装置。
【請求項５】
前記振動素子は、
前記表示領域の周辺に位置する周辺領域に配置されており、前記画素電極を模擬するダミー画素電極、及び前記対向電極を模擬するダミー対向電極を有しており、
前記ダミー画素電極及び前記ダミー対向電極に、互いに逆位相となるような電位が供給されることで振動する
ことを特徴とする請求項１又は２に記載の電気光学装置。
【請求項６】
請求項１から５のいずれか一項に記載の電気光学装置を備えることを特徴とする電子機器。
【発明の詳細な説明】
【技術分野】
【０００１】
本発明は、例えば液晶装置等の電気光学装置、及び該電気光学装置を備えた、例えば携帯情報端末等の電子機器の技術分野に関する。
【背景技術】
【０００２】
この種の電気光学装置として、例えばＴＦＴ（Thin Film Transistor）をスイッチング素子として備え、所謂アクティブマトリクス駆動を行うものがある。このような電気光学装置では、所定期間ごとに印加電圧（即ち、駆動信号）の極性を反転させて、反転駆動を行う場合がある。
【０００３】
反転駆動においては、印加される交流電圧に起因する異音が指摘されている。具体的には、交流電圧の周波数が可聴領域となることで、装置の動作時に、細かな振動に起因する耳障りな音が発生してしまう。このため、例えば特許文献１では、交流電圧の周波数のばらつきを広くすることで異音を低減するという技術が提案されている。また特許文献２では、分割された共通電極に互いに逆位相となる電圧を印加することで異音を低減するという技術が提案されている。
【先行技術文献】
【特許文献】
【０００４】
【特許文献１】特開２００９−５８８０９号公報
【特許文献２】特開２００６−２３６４５号公報
【発明の概要】
【発明が解決しようとする課題】
【０００５】
しかしながら、特許文献１に係る技術では、複数の異なる周波数成分を有する信号を出力させているため、装置制御が高度複雑化してしまうおそれがある。また特許文献２に係る技術では、共通電極を分割させて設けることが要求されるため、装置構成が複雑化すると共に、電源の負荷が増大してしまうおそれがある。即ち、上述した技術には、仮に異音を低減することができたとしても、それに伴って新たに発生する要因が、装置に悪影響を及ぼしてしまうおそれがあるという技術的問題点がある。
【０００６】
本発明は、例えば上述した問題点に鑑みなされたものであり、反転駆動に起因する異音を好適に低減することが可能な電気光学装置及び電子機器を提供することを課題とする。
【課題を解決するための手段】
【０００７】
本発明の電気光学装置は上記課題を解決するために、複数の画素が配列された表示領域を有する電気光学装置であって、電気光学物質を挟持するように対向して配置される第１基板及び第２基板と、前記第１基板上に前記画素毎に設けられており、画像に応じた画素電位が供給される画素電極と、前記第２基板上に設けられており、前記画素電極との間に電圧を印加するための対向電位が供給される対向電極と、前記対向電位の極性を所定期間毎に反転させる極性反転手段と、前記対向電極に対応して設けられた振動素子と、前記対向電位の極性と逆位相で前記振動素子を振動させる振動素子制御手段とを備える。
【０００８】
本発明の電気光学装置によれば、その動作時には、互いに対向する画素電極及び対向電極間に発生する電界によって、液晶等の電気光学物質が制御される。具体的には、表示領域に配置された複数の画素の各々に対応して設けられた画素電極に対して、表示する画像に応じた画素電位が夫々供給されると共に、対向電極に対して、所定の電位である対向電位が供給される。これにより、画素電位が供給された画素電極の電位及び対向電位の電位差によって電気光学物質に含まれる分子の向きが夫々制御され、表示領域において様々な画像を表示させることが可能となる。
【０００９】
尚、画素電極が画素毎に設けられているのに対し、対向電極は、典型的には、マトリクス状に配置された画素の列毎など、複数の画素電極に共通した電極として設けられる。
【００１０】
本発明では更に、極性反転手段によって、対向電位の極性が所定期間毎に反転させられ、所謂反転駆動が行われる。対向電位の極性は、例えば一水平走査期間や一垂直走査期間毎に反転させられる。しかしながら、反転駆動においては、印加される交流電圧の周波数が可聴領域となってしまうことで、装置の動作時に耳障りな音が発生してしまう場合がある。
【００１１】
これに対し、本発明の電気光学装置は、対向電位の周波数と逆位相で振動する振動素子を備えている。これにより、交流電圧に起因する振動が相殺され、動作時の異音を低減させることができる。具体的には、振動素子制御手段が、対向電極に対応するように設けられた振動素子を、対向電位の極性と逆位相で振動させる。これにより、交流電圧に起因する振動が相殺される。尚、振動素子は、例えば対向電極の端部など、交流電圧に起因する振動を効率的に相殺できるような位置に配置される。
【００１２】
以上説明したように、本発明の電気光学装置によれば、反転駆動に起因する異音を好適に低減することが可能である。
【００１３】
本発明の電気光学装置の一態様では、前記振動素子は、前記表示領域の周辺に位置する周辺領域に配置されている。
【００１４】
この態様によれば、振動素子が表示領域に配置されることで、表示画像に悪影響が及んでしまうことを防止できる。即ち、振動素子を設けることにより、表示ムラ等が新たに発生してしまうことを防止できる。
【００１５】
また、周辺領域の空きスペースを効率的に利用することができるため、装置の小型化や高精細化を容易に実現することが可能となる。
【００１６】
本発明の電気光学装置の他の態様では、前記振動素子は、前記第１基板上に設けられた第１電極及び前記第２基板上に設けられた第２電極を有しており、前記第１電極及び前記第２電極に、互いに逆位相となるような電位が供給されることで振動する。
【００１７】
この態様によれば、振動素子として、電気光学物質を挟んで対向するように第１電極及び第２電極が設けられる。振動素子は、第１電極及び第２電極に、互いに逆位相となるような電位が供給されることで振動するため、振動の位相を制御することが用意である。従って、反転駆動に起因する異音を、確実に低減することが可能である。
【００１８】
本発明の電気光学装置の他の態様では、前記振動素子は、圧電素子である。
【００１９】
この態様によれば、振動素子は、例えばチタン酸ジルコニウム酸鉛（ＰＺＴ）等の圧電素子であり、電圧を印加することで振動する。圧電素子であれば、電圧値を変化させることで、振動の位相を制御することができる。従って、反転駆動に起因する異音を、確実に低減することが可能である。
【００２０】
本発明の電気光学装置の他の態様では、前記振動素子は、前記表示領域の周辺に位置する周辺領域に配置されており、前記画素電極を模擬するダミー画素電極、及び前記対向電極を模擬するダミー対向電極を有しており、前記ダミー画素電極及び前記ダミー対向電極に、互いに逆位相となるような電位が供給されることで振動する。
【００２１】
この態様によれば、周辺領域には画素電極を模擬するダミー画素電極、及び対向電極を模擬するダミー対向電極が設けられている。即ち、本態様では、表示領域に配置された複数の画素を模擬するダミー画素が周辺領域に設けられている。尚、ダミー画素は、表示領域の画素と同一の構成であってもよいし、一部異なる構成であってもよい。
【００２２】
本態様では、ダミー画素電極及びダミー対向電極に、互いに逆位相となるような電位が供給されることで振動素子が振動する。ここで特に、ダミー画素は、画素を形成する際に同時に形成することができる。従って、振動素子を形成するための製造工程の増加やコストの増大を防止することができる。
【００２３】
本発明の電子機器は上記課題を解決するために、上述した本発明の電気光学装置（但し、その各種態様も含む）を備える。
【００２４】
本発明の電子機器によれば、上述した本発明に係る電気光学装置を具備してなるので、交流電圧に起因する異音が低減された携帯電子端末、投射型表示装置、テレビ、携帯電話、電子手帳、ワードプロセッサー、ビューファインダー型又はモニター直視型のビデオテープレコーダー、ワークステーション、テレビ電話、ＰＯＳ端末、タッチパネルなどの各種電子機器を実現できる。また、本発明の電子機器として、例えば電子ペーパーなどの電気泳動装置等も実現することも可能である。
【００２５】
本発明の作用及び他の利得は次に説明する発明を実施するための形態から明らかにされる。
【図面の簡単な説明】
【００２６】
【図１】実施形態に係る電気光学装置の全体構成を示す平面図である。
【図２】図１のＨ−Ｈ´線断面図である。
【図３】実施形態に係る電気光学装置の画像表示領域を構成する各種素子、配線等の等価回路図である。
【図４】実施形態に係る電気光学装置の構成を概略的に示すブロック図である。
【図５】対向電位の波形及び振動素子の波形を時系列で示す波形図である。
【図６】振動素子の具体的な構成を示す拡大断面図（その１）である。
【図７】振動素子の具体的な構成を示す拡大断面図（その２）である。
【図８】振動素子の具体的な構成を示す拡大断面図（その３）である。
【図９】電気光学装置を適用した電子機器の一例たるプロジェクターの構成を示す平面図である。
【発明を実施するための形態】
【００２７】
以下では、本発明の実施形態について図を参照しつつ説明する。
【００２８】
＜電気光学装置＞
先ず、本実施形態に係る電気光学装置の全体構成について、図１及び図２を参照して説明する。ここに図１は、本実施形態に係る電気光学装置の全体構成を示す平面図であり、図２は、図１のＨ−Ｈ´線断面図である。尚、以下の実施形態では、本発明の電気光学装置の一例として駆動回路内蔵型のＴＦＴアクティブマトリクス駆動方式の液晶装置を例にとる。
【００２９】
図１及び図２において、本実施形態に係る液晶パネルでは、本発明の「第１基板」の一例であるＴＦＴアレイ基板１０と、本発明の「第２基板」の一例である対向基板２０とが対向配置されている。ＴＦＴアレイ基板１０は、例えば石英基板、ガラス基板等の透明基板や、シリコン基板等である。対向基板２０は、例えば石英基板、ガラス基板等の透明基板である。ＴＦＴアレイ基板１０と対向基板２０との間には、本発明の「電気光学物質」の一例である液晶層５０が封入されている。液晶層５０は、例えば一種又は数種類のネマティック液晶を混合した液晶からなり、一対の配向膜間で所定の配向状態をとる。
【００３０】
ＴＦＴアレイ基板１０と対向基板２０とは、複数の画素電極が設けられた画像表示領域１０ａの周囲に位置するシール領域に設けられたシール材５２により、相互に接着されている。尚、画像表示領域１０ａは、本発明の「表示領域」の一例である。
【００３１】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（即ち、基板間ギャップ）を所定値とするためのグラスファイバー或いはガラスビーズ等のギャップ材が散布されている。
【００３２】
画像表示領域１０ａの周辺に位置する周辺領域には、シール材５２が配置されたシール領域の内側に並行して、画像表示領域１０ａの額縁領域を規定する遮光性の額縁遮光膜５３が、対向基板２０側に設けられている。尚、このような額縁遮光膜５３の一部又は全部は、ＴＦＴアレイ基板１０側に内蔵遮光膜として設けられてもよい。
【００３３】
周辺領域のうち、シール材５２が配置されたシール領域の外側に位置する領域には、データ線駆動回路１０１及び外部回路接続端子１０２がＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。
【００３４】
ここで本発明では特に、走査線駆動回路１０４と画像表示領域１０ａを介して対向する位置に、複数の振動素子２００が設けられている。振動素子２００は、所定の周波数で振動可能に構成されている。振動素子２００の具体的な構成及び作用については後に詳述する。
【００３５】
ＴＦＴアレイ基板１０上における対向基板２０の４つのコーナー部に対向する領域には、両基板間を上下導通材１０７で接続するための上下導通端子１０６が配置されている。これらにより、ＴＦＴアレイ基板１０と対向基板２０との間で電気的な導通をとることができる。
【００３６】
図２において、ＴＦＴアレイ基板１０上には、駆動素子である画素スイッチング用のＴＦＴや走査線、データ線等の配線が作り込まれた積層構造が形成される。この積層構造の詳細な構成については図２では図示を省略してあるが、この積層構造の上に、ＩＴＯ等の透明材料からなる画素電極９ａが、画素毎に所定のパターンで島状に形成されている。
【００３７】
画素電極９ａは、対向電極２１に対向するように、ＴＦＴアレイ基板１０上の画像表示領域１０ａに形成されている。ＴＦＴアレイ基板１０における液晶層５０の面する側の表面、即ち画素電極９ａ上には、配向膜１６が画素電極９ａを覆うように形成されている。
【００３８】
対向基板２０におけるＴＦＴアレイ基板１０との対向面上には、遮光膜２３が形成されている。遮光膜２３は、例えば対向基板２０における対向面上に平面的に見て、格子状に形成されている。対向基板２０において、遮光膜２３によって非開口領域が規定され、遮光膜２３によって区切られた領域が、例えばバックライト等から出射された光を透過させる開口領域となる。尚、遮光膜２３をストライプ状に形成し、該遮光膜２３と、ＴＦＴアレイ基板１０側に設けられたデータ線等の各種構成要素とによって、非開口領域を規定するようにしてもよい。
【００３９】
遮光膜２３上には、ＩＴＯ等の透明材料からなる対向電極２１が複数の画素電極９ａと対向するように形成されている。また遮光膜２３上には、画像表示領域１０ａにおいてカラー表示を行うために、開口領域及び非開口領域の一部を含む領域に、図２には図示しないカラーフィルターが形成されるようにしてもよい。対向基板２０の対向面上における、対向電極２１上には、配向膜２２が形成されている。
【００４０】
尚、図１及び図２に示したＴＦＴアレイ基板１０上には、上述したデータ線駆動回路１０１、走査線駆動回路１０４等の駆動回路に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００４１】
次に、本実施形態に係る電気光学装置の画素部の電気的な構成について、図３を参照して説明する。ここに図３は、本実施形態に係る電気光学装置の画像表示領域を構成するマトリクス状に形成された複数の画素における各種素子、配線等の等価回路図である。
【００４２】
図３において、画像表示領域１０ａを構成するマトリクス状に形成された複数の画素の各々には、画素電極９ａ及びＴＦＴ３０が形成されている。ＴＦＴ３０は、画素電極９ａに電気的に接続されており、本実施形態に係る電気光学装置の動作時に画素電極９ａをスイッチング制御する。画像信号が供給されるデータ線６ａは、ＴＦＴ３０のソースに電気的に接続されている。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００４３】
ＴＦＴ３０のゲートには、走査線３ａが電気的に接続されており、本実施形態に係る電気光学装置は、所定のタイミングで、走査線３ａにパルス的に走査信号Ｇ１、Ｇ２、・・・、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、・・・、Ｓｎが所定のタイミングで書き込まれる。画素電極９ａを介して電気光学物質の一例としての液晶に書き込まれた所定レベルの画像信号Ｓ１、Ｓ２、・・・、Ｓｎは、対向基板に形成された対向電極との間で一定期間保持される。
【００４４】
液晶層５０（図２参照）を構成する液晶は、印加される電圧レベルにより分子集合の配向や秩序が変化することにより、光を変調し、階調表示を可能とする。例えば、ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学装置からは画像信号に応じたコントラストをもつ光が出射される。
【００４５】
ここで保持された画像信号がリークすることを防ぐために、画素電極９ａと対向電極２１（図２参照）との間に形成される液晶容量と並列に蓄積容量７０が付加されている。蓄積容量７０は、画像信号の供給に応じて各画素電極９ａの電位を一時的に保持する保持容量として機能する容量素子である。蓄積容量７０の一方の電極は、画素電極９ａと並列してＴＦＴ３０のドレインに電気的に接続され、他方の電極は、定電位となるように、電位固定の容量線３００に電気的に接続されている。蓄積容量７０によれば、画素電極９ａにおける電位保持特性が向上し、コントラスト向上やフリッカーの低減といった表示特性の向上が可能となる。
【００４６】
次に、本実施形態に係る電気光学装置の具体的な構成と動作について、図４から図８を参照して説明する。ここに図４は、本実施形態に係る電気光学装置の構成を概略的に示すブロック図であり、図５は、対向電位の波形及び振動素子の波形を時系列で示す波形図である。また図６から図８は夫々、振動素子の具体的な構成を示す拡大断面図である。尚、図４以降の図では、説明の便宜上、図１から図３で示した装置を構成する詳細な部材を、適宜省略して図示してある。
【００４７】
図４において、本実施形態に係る電気光学装置は、画像表示領域１０ａの周辺に配置されたデータ線駆動回路１０１及び走査線駆動回路１０４と、振動素子２００と、振動素子駆動回路２５０と、表示制御回路３００とを備えて構成されている。
【００４８】
データ線駆動回路１０１は、画素電極９ａへの画素電位の供給を制御する回路であり、例えばシフトレジスタ等を含んで構成されている。
【００４９】
走査線駆動回路１０４は、例えば各画素に設けられたＴＦＴ３０（図３参照）のオンオフを切替える走査信号の供給を制御する回路であり、画素電極９ａへの画素電位の供給タイミングを制御する。
【００５０】
振動素子２００は、画像表示領域１０ａに配置された対向電極２１に対応するように複数設けられており、通電等によって所定の周波数で振動させることが可能に構成されている。
【００５１】
振動素子駆動回路２５０は、複数の振動素子２００の各々に電気的に接続されており、振動素子２００の振動のタイミングや位相等を夫々制御する。
【００５２】
表示制御回路３００は、装置における画像表示全般を制御する回路であって、例えばＴＦＴアレイ基板１０上や外部回路接続端子１０２（図１及び図２参照）に電気的に接続されるフレキシブル基板上に設けられる集積回路である。表示制御回路３００には、コントローラー３１０と、タイミング信号出力回路３２０と、画像信号出力回路３３０と、対向電極駆動回路３４０とが含まれている。
【００５３】
コントローラー３１０は、タイミング信号出力回路３２０、画像信号出力回路３３０及び対向電極駆動回路３４０の各々に電気的に接続されており、各々の動作を制御する。
【００５４】
タイミング信号出力回路３２０は、データ線駆動回路１０１及び走査線駆動回路１０４の各々に電気的に接続されており、スタート信号やクロック信号等のタイミング信号を供給する。
【００５５】
画像信号出力回路３３０は、データ線駆動回路１０１に電気的に接続されており、画像信号（即ち、画素電位に対応する信号）を供給する。
【００５６】
対向電極駆動回路３４０は、対向電極２１に電気的に接続されており、対向電位を供給する。また、対向電位の極性を所定期間毎に反転させるように駆動する。即ち、本実施形態に係る対向電極駆動回路３４０は、本発明の「極性反転手段」の一例である。
【００５７】
加えて、対向電極駆動回路３４０は、振動素子駆動回路２５０にも電気的に接続されており、対向電位の波形に係る情報を供給可能とされている。振動素子駆動回路２５０は、対向電極駆動回路３４０から供給された対向電位の波形に係る情報に基づいて、振動素子２００を駆動する。
【００５８】
図５に示すように、振動素子駆動回路２５０は、対向電位の波形と振動素子２００の波形とが互いに逆位相となるように振動素子２００を振動させる。対向電位は、上述したように、対向電極駆動回路３４０によって極性が所定期間毎に反転させられる。しかしながら、対向電位の周波数が可聴領域となってしまうことで、装置の動作時に、細かな振動に起因する耳障りな音が発生してしまう場合がある。
【００５９】
しかるに本発明の電気光学装置は、対向電位の周波数と逆位相で振動する振動素子２００を備えているため、振動素子２００の振動によって対向電位に起因する振動が相殺され、動作時の異音を低減させることができる。このような効果は、振動素子２００の振動を制御するだけで得られるため、装置構成や動作メカニズムが極端に複雑化してしまうことを防止できる。更に、振動素子２００の振動は、比較的低い電圧で制御できるため、低消費電力を実現することができる。
【００６０】
図６において、振動素子２００は、例えばＴＦＴアレイ基板１０上に設けられた第１電極２０１と、対向基板２０上に設けられた第２電極２０２とを備えて構成される。この場合、振動素子駆動回路２５０は、第１電極２０１及び第２電極２０２に互いに逆位相の電位を供給することで振動を発生させる。
【００６１】
図７において、振動素子２００は、例えばＰＺＴ等の圧電素子２０３であってもよい。この場合、振動素子駆動回路２５０は、圧電素子２０３に供給する電位を変化させることによって、振動素子２００の振動を制御することができる。
【００６２】
図８において、振動素子２００は、周辺領域に設けられたダミー画素電極９ｄ及びダミー対向電極２１ｄを備えて構成されていてもよい。この場合、振動素子駆動回路２５０は、ダミー画素電極９ｄ及びダミー対向電極２１ｄに互いに逆位相の電位を供給することで振動を発生させる。このようにダミー画素を利用すれば、振動素子２００として別途部材を設ける必要がなくなるため、装置構成の複雑化及びコストの増大を防止できる。
【００６３】
尚、図６から図８に示した振動素子２００の構成はあくまで一例であり、対向電位に起因する振動を相殺できるように振動できるものであれば、どのような構成であってもよい。但し、振動素子２００は、画像表示に悪影響を及ぼさないためにも、画像表示領域１０ａの周辺に位置する周辺領域に配置されることが好ましい。
【００６４】
以上説明したように、本実施形態に係る電気光学装置によれば、反転駆動に起因する異音を好適に低減することが可能である。
【００６５】
＜電子機器＞
次に、上述した本実施形態に係る電気光学装置を適用可能な電子機器の具体例について、図９を参照して説明する。
【００６６】
ここでは上述した電気光学装置を、タッチパネル機能（或いはタッチスクリーン機能）を有するＰＤＡ（Personal Digital Assistants）機器等の携帯情報端末の表示部に適用した例について説明する。図９は、この携帯情報端末の構成を示す斜視図である。
【００６７】
図９に示すように、携帯情報端末４０００は、本体部に操作ボタン４００１や電源スイッチ４００２を備え、上述した液晶装置を適用した表示部４００３を備えている。表示部においてはタッチペン等による入力操作が可能となっており、本体部では操作ボタン４００１等に加えてタッチペン等による入力内容に従った動作を行うことが可能なように構成されている。
【００６８】
尚、図１６を参照して説明した電子機器の他にも、携帯電話や、プロジェクター、液晶テレビ、ビューファインダー型、モニター直視型のビデオテープレコーダー、カーナビゲーション装置、ページャー、電子手帳、電卓、ワードプロセッサー、ワークステーション、テレビ電話、ＰＯＳ端末等が挙げられる。そして、これらの各種電子機器に適用可能なのは言うまでもない。
【００６９】
また本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【００７０】
本発明は、上述した実施形態に限られるものではなく、特許請求の範囲及び明細書全体から読み取れる発明の要旨或いは思想に反しない範囲で適宜変更可能であり、そのような変更を伴う電気光学装置、及び該電気光学装置を備えた電子機器もまた本発明の技術的範囲に含まれるものである。
【符号の説明】
【００７１】
３ａ…走査線、６ａ…データ線、９ａ…画素電極、９ｄ…ダミー画素電極、１０…ＴＦＴアレイ基板、１０ａ…画像表示領域、２０…対向基板、２１…対向電極、２１ｄ…ダミー対向電極、３０…ＴＦＴ、５０…液晶層、１０１…データ線駆動回路、１０２…外部回路接続端子、１０４…走査線駆動回路、２００…振動素子、２０１…第１電極、２０２…第２電極、２０３…圧電素子、２５０…振動素子駆動回路、３００…表示制御回路、３１０…コントローラー、３２０…タイミング信号出力回路、３３０…画像信号出力回路、３４０…対向電極駆動回路
【図１】
2011028023.tif 000003
【図２】
2011028023.tif 000004
【図３】
2011028023.tif 000005
【図４】
2011028023.tif 000006
【図５】
2011028023.tif 000007
【図６】
2011028023.tif 000008
【図７】
2011028023.tif 000009
【図８】
2011028023.tif 000010
【図９】
2011028023.tif 000011